(57)【特許請求の範囲】
【請求項１】
上端外周に周方向に沿って張出部を延設した蓋本体と、前記蓋本体を支持する筒状の受枠部とを有する地下構造物用蓋であって、
前記受枠部は、前記蓋本体の前記張出部よりも幅広の上端面を備えるとともに、この上端面にその内周縁と外周縁とを含まないように形成され、上方に向けて開口した開蓋用治具挿入部を備え、
前記蓋本体が前記受枠部に支持されたとき、前記蓋本体の前記張出部が前記開蓋用冶具挿入部の一部分のみを上方から覆うようにして前記受枠部の前記上端面に重ね合わされ、且つ、前記上端面の内周縁部に全周に亘って密着することを特徴とする地下構造物用蓋。
【請求項２】
前記受枠部の前記上端面には全周に亘って形成された段差部が設けられており、
前記蓋本体が前記受枠部に支持され、前記蓋本体の張出部が前記段差部よりも内周側にて前記上端面に重ね合わされたとき、前記段差部は、前記蓋本体の上端面と前記段差部よりも外周側の前記受枠部の前記上端面とが略同一高さとなるような段差寸法を有し、
前記開蓋用治具挿入部は、前記段差部を横切って配置されている請求項１に記載の地下構造物用蓋。
【発明の詳細な説明】
【０００１】
【発明の属する技術分野】
本発明は、蓋本体とこれを支持する受枠部とを有する地下構造物用蓋に関する。
なお、本願明細書でいう「地下構造物用蓋」とは、下水道における地下埋設物、地下構造物施設等と地上とを通じる開口部を閉塞する大型鉄蓋、マンホール蓋、汚水桝蓋、電力・通信における地下施設機器や配線等を保護する開閉可能な共同溝用鉄蓋、送電用鉄蓋、配電用鉄蓋、上水道やガス配管における路面下の埋設導管およびその付属機器と地上とを結ぶ開閉扉としての機能を有する消火栓蓋、制水弁蓋、仕切弁蓋、空気弁蓋、ガス配管用蓋、量水器蓋等を総称する。
【０００２】
【従来の技術】
地下構造物用蓋は、通常時においては路面の一部としての機能を果たし、また、地下構造物内部の保守管理作業を行う場合には蓋本体を開蓋し作業を行う。そのため蓋本体或いは受枠部には、開蓋用冶具挿入部が形成されている。このような地下構造物用蓋において、受枠部に開蓋用冶具挿入部を設けたものとして、例えば、実公平７−２８２０２号公報に記載されたものがある。この地下構造物用蓋（小口径桝用塩化ビニル製蓋）は、リング状外枠の内側面にコイン状蓋の外側面を密着させて取外し可能に内嵌したものである。そして、リング状外枠の内側面上縁にドライバ挿入切欠を設けることで、開蓋の際にはドライバ挿入切欠にドライバを差し込んでこじ開けるように構成している。
【０００３】
【発明が解決しようとする課題】
しかしながら、上記構成の地下構造物用蓋においては、リング状外枠の内側面上縁にドライバ挿入切欠を設けているため、このドライバ挿入切欠からコイン状蓋とリング状外枠との間に雨水や土砂が侵入しやすく、特に土砂が侵入した場合には、この土砂がコイン状蓋とリング状外枠との間に噛み込んで開蓋し難くなるという問題がある。さらに、開蓋の際にはドライバをドライバ挿入切欠へ差し込み、コイン状蓋の外側面にドライバの先端を当接させながらこじ開けるようにしなければならないため開蓋作業が困難となるという問題もある。
【０００４】
本発明は、上述の点に鑑みてなされたもので、開蓋作業を容易に行うことのできる地下構造物用蓋を提供することを目的とする。
【０００５】
【課題を解決するための手段】
本発明の地下構造物用蓋は、上端外周に周方向に沿って張出部を延設した蓋本体と、前記蓋本体を支持する筒状の受枠部とを有する地下構造物用蓋であって、前記受枠部は、前記蓋本体の前記張出部よりも幅広の上端面を備えるとともに、この上端面にその内周縁と外周縁とを含まないように形成され、上方に向けて開口した開蓋用治具挿入部を備え、前記蓋本体が前記受枠部に支持されたとき、前記蓋本体の前記張出部が前記開蓋用冶具挿入部の一部分のみを上方から覆うようにして前記受枠部の前記上端面に重ね合わされ、且つ、前記上端面の内周縁部に全周に亘って密着するものとなっている。
【０００６】
以上の構成において、蓋本体の張出部が開蓋用冶具挿入部の一部分のみを覆うように構成されているので、開蓋の際には、マイナスドライバ等の開蓋用冶具を開蓋用冶具挿入部に挿入し、開蓋用冶具の先端を張出部の下方に位置させた状態で、テコの要領で開蓋用冶具を押し下げることにより、容易に開蓋することができる。また、開蓋用冶具挿入部は、受枠部の上端面の内周縁と外周縁とを含まないように形成されているため、開蓋用冶具挿入部から蓋本体と受枠部との間に土砂等が侵入して噛み込むこともなく、開蓋の容易性が損なわれることもない。
【０００７】
【発明の実施の形態】
本発明において、前記受枠部の上端面には全周に亘って形成された段差部が設けられており、前記蓋本体が前記受枠部に支持され、前記蓋本体の張出部が前記段差部よりも内周側にて前記上端面に重ね合わされたとき、前記段差部は、前記蓋本体の上端面と前記段差部よりも外周側の受枠部の上端面とが略同一高さとなるような段差寸法を有し、そして、前記開蓋用治具挿入部は、前記段差部を横切って配置されている。
このような構成とすることで、蓋本体が受枠部の上方に突出することがないので地下構造物用蓋の上を通行する際の妨げとならない。また、上記のように開蓋用冶具を開蓋用冶具挿入部に挿入してテコの要領で開蓋する際に、開蓋用冶具の支点が作用点より高い位置となるので開蓋操作がさらに容易となる。
【０００８】
【実施例】
（実施例１）
図１は、本発明に係る地下構造物用蓋の概要を示す一部切欠斜視図、図２は、図１の要部拡大図である。
図１において、地下構造物用蓋１は、蓋本体７と、内筒体３と、内筒体３の上側に上下動可能に外挿され上端部に蓋本体７を支持する受枠部６を一体に形成した外筒体２とからなり、外筒体２の内周面には位置決め部としての環状溝４が上下方向に所定の間隔（実施例では等間隔）をおいて複数段形成され、環状溝４には外筒体２を内筒体３に位置決め支持する位置決め部材５が嵌合装着されている。
【０００９】
内筒体３は、例えば、地下に設置した底部台座（図示せず）上に載置され、その上端が路面（地面）から適宜の深さ位置に位置している。外筒体２の長さは、内筒体３の上端面３ａから路面までの距離よりも長く、外筒体２（蓋本体７）の路面に対する高さ位置を十分に調整可能とされている。これらの外筒体２および内筒体３は、耐食性を有し、軽量、かつ安価な例えば、塩化ビニル等の合成樹脂部材により形成されている。
【００１０】
位置決め部材５は、外側に突出する凸部５ａが全周に亘って形成され、環状溝４に嵌合装着可能なリング状をなし、この凸部５ａが環状溝４に嵌合装着された状態において、上端面５ｂが当該環状溝４の一段上の環状溝４の下端に、下端面５ｃが当該環状溝４の一段下の環状溝４の上端に位置するように設定されている。これにより、位置決め部材５は、凸部５ａが何れかの環状溝４に嵌合装着された状態において、下端面５ｃが内筒体３の上端面３ａに全周に亘り当接可能とされる。この位置決め部材５は、可撓性、耐食性を有し、かつ環状溝４への着脱を容易にするために適宜の弾性および硬さを有する例えば、硬質ゴム、或いはポリウレタンゴム等により形成されている。
【００１１】
受枠部６は、外筒体２の上部に一体に形成されており、内周面６ａが上方の開口端に臨んで僅かにテーパ状に拡開するテーパ面とされ、開口端外周には上端部としてのフランジ６ｂが形成されている。
蓋本体７は、その下面に外周嵌着面７ａが受枠部６の内周面６ａに沿うテーパ面として下方に延設して形成され、上端外周に全周に亘り張出部としてのフランジ７ｂが周方向に沿って延設して形成されている。また、外周嵌着面７ａの上端に例えば、防水用のパッキン８が外嵌されている。
【００１２】
受枠部６のフランジ６ｂは、その幅が蓋本体７のフランジ７ｂの幅よりも広く例えば、フランジ７ｂの幅の２倍程度とされており、上面に開蓋用冶具挿入部としての凹部６ｃが、同一円周上に周方向に等間隔で複数設けられている。また、各凹部６ｃは、図１において２点鎖線で示す蓋本体７のフランジ７ｂの外径線をまたぐように設けられており、蓋本体７が受枠部６に支持された状態では、図２に示すようにフランジ７ｂが凹部６ｃの一部分のみを覆うように形成されている。即ち、凹部６ｃの一部はフランジ７ｂの先端よりも内周側に位置し、残部はフランジ７ｂの先端よりも外周側に位置するように構成されている。
【００１３】
上記構成において、図２に示すように蓋本体７は、受枠部６に防水用のパッキン８を介して液密に嵌合装着されている。蓋本体７を開蓋する場合には図２に示すように凹部６ｃに開蓋用冶具例えば、マイナスドライバ１０の先端１０ａを挿入して蓋本体７のフランジ７ｂの外周縁下面に当てて作用点とし、先端１０ａの僅か後部位置１０ｂを凹部６ｃの開口縁に当てて支点とし、握り部１１を力点としてテコの要領で矢印方向に押し下げる。これにより、蓋本体７が押し上げられる。このような作業を各凹部６ｃにおいて順次行うことで、蓋本体７を均一に押し上げることができ、容易に、かつ円滑に開蓋することができる。
【００１４】
また、蓋本体７の外周嵌着面７ａと受枠部６の内周面６ａとの間には切欠部が一切なく、蓋本体７のフランジ７ｂの下面と受枠部６のフランジ６ｂの内周側上面が全周に亘り密着する。これにより、雨水、土砂等の流入および地下構造物内部からの悪臭の発散が防止され、止水性および防臭性が極めて高い状態に保持される。さらに、蓋本体７の外周嵌着面７ａと受枠部６の内周面６ａとをパッキン８を介して嵌合させているため、より一層止水性および防水性が向上する。
【００１５】
なお、パッキン８を介さずに外周嵌着面７ａと内周面６ａとを面合させて嵌合させるような構成としてもよい。また、蓋本体７のフランジ７ｂの下面と受枠部６のフランジ６ｂの上面との間にパッキンを介在させるようにしてもよい。
さらに、開蓋用冶具挿入部として、フランジ６ｂの上面を凹ませて凹部６ｃを形成したが、これに限るものではなく、単なる孔としてもよい。しかしながら、本実施例のように凹部６ｃとすることで、開蓋の際にマイナスドライバ１０の支点となる開口端周縁部の強度が保持され、耐久性の点で好ましい。
【００１６】
（実施例２）
図３は、本発明の第２の実施例を示し、受枠部６のフランジ６ｂに開蓋用冶具挿入部として凹部６ｃに代えて環状溝６ｄを形成したものである。このように開蓋用冶具挿入部を環状溝６ｄとすることで任意の箇所において開蓋操作を行うことができ、使い勝手がよい。
【００１７】
（実施例３）
図４は、本発明の第３の実施例を示し、受枠部６のフランジ６ｂの上面に、蓋本体７のフランジ７ｂの厚みと同じ高さを有する段部６ｆを全周に亘り形成したものである。これにより、蓋本体７が受枠部６に支持された状態において、蓋本体７（フランジ７ｂ）の上端面とフランジ６ｂの外周側上端面６ｅとが同一高さとなるので地下構造物用蓋１の上を通行する際にフランジ７ｂが妨げとならない。また、フランジ６ｂの外周側上端面６ｅが段部６ｆの分だけ高くなったことで、前述したようにマイナスドライバ１０等の一般的な開蓋用冶具を凹部６ｃに挿入してテコの要領で開蓋する際に、支点の位置が作用点の位置よりも高くなり、より容易に開蓋することができる。
【００１８】
なお、以上の各実施例においては、受枠部を内筒体の上側に位置する外筒体に一体に形成した地下構造物用蓋について説明したが、本発明は、受枠部を外筒体とは別体に形成した地下構造物用蓋に適用可能であることは明らかである。
【００１９】
【発明の効果】
本発明の地下構造物用蓋では、蓋本体の張出部が開蓋用冶具挿入部の一部分のみを覆うように構成されているので、開蓋の際には、マイナスドライバ等の開蓋用冶具を開蓋用冶具挿入部に挿入しテコの要領で押し下げるだけで、容易に開蓋することができる。また、開蓋用冶具挿入部は、受枠部の上端面の内周縁と外周縁とを含まないように形成されているため、開蓋用冶具挿入部から蓋本体と受枠部との間に土砂等が侵入して噛み込むこともなく、開蓋の容易性が損なわれることもない。
【００２０】
さらに、受枠部の上端面に段部を全周に亘って形成し、前記蓋本体の上端面と受枠部の上端面とが略同一高さとなるように構成しているので、地下構造物用蓋の上を通過する際の妨げにならない。また、マイナスドライバ等の開蓋用冶具を開蓋用冶具挿入部に挿入してテコの要領で開蓋する際に、開蓋用冶具の開蓋用冶具挿入部に対する支点が作用点よりも高い位置となり、さらに容易に開蓋することができる。
【図面の簡単な説明】
【図１】本発明に係る地下構造物用蓋の第１の実施例を示す一部切欠斜視図である。
【図２】図１の開蓋用冶具挿入部および蓋本体の張出部の一部拡大図である。
【図３】本発明に係る地下構造物用蓋の第２の実施例を示す一部拡大図である。
【図４】本発明に係る地下構造物用蓋の第３の実施例を示す一部拡大図である。
【符号の説明】
１  地下構造物用蓋
２  外筒体
３  内筒体
４  位置決め部
５  位置決め部材
６  受枠部
６ａ  内周面
６ｂ  フランジ（上端面）
６ｃ  凹部（開蓋用冶具挿入部）
６ｄ  環状溝（開蓋用冶具挿入部）
６ｅ  外周側上端面
６ｆ  段部
７  蓋本体
７ａ  外周嵌着面
７ｂ  フランジ（張出部）
８  パッキン
１０  マイナスドライバ
【図１】
0004089930.tif 000002
【図２】
0004089930.tif 000003
【図３】
0004089930.tif 000004
【図４】
0004089930.tif 000005